【事件の表示】
　平成１１年特許願第１７０８４８号「化粧料」拒絶査定不服審判事件〔平成１３年１月９日出願公開、特開２００１−２５２２〕について、次のとおり審決する。
【結　論】
　本件審判の請求は、成り立たない。
【理　由】
　本願は、平成１１年６月１７日の出願であって、平成１６年２月２７日付けで拒絶査定がなされ、これに対して平成１６年４月８日に拒絶査定に対する審判請求がなされるとともに、同年４月３０日付けで手続補正がなされたものである。
　　　
２．平成１６年４月３０日付けの手続補正についての補正却下の決定
［補正却下の決定の結論］
　平成１６年４月３０日付けの手続補正を却下する。
　　　
［理由］
（１）補正後の本願発明
　平成１６年４月３０日付けの手続補正（以下、「本件補正」という。）により、本件補正前の特許請求の範囲：
「【請求項１】（Ａ）球状シリコーン樹脂粉体を除く平均粒径３μｍ以上の球状粉体２０〜６０重量％、（Ｂ）オルガノポリシロキサンセグメントの末端又は側鎖に、連結基を介して、オキサゾリン化合物又はオキサジン化合物が開環重合してなる、下記一般式（１）；
【化１】
　　　　　　
（式中、Ｒ１は水素原子、炭素数１〜２２のアルキル基、シクロアルキル基、アラルキル基又はアリール基を示し、ｎは２又は３の数を示す）で表される繰り返し単位からなるポリ（Ｎ−アシルアルキレンイミン）セグメントが結合してなるオルガノポリシロキサンからなる被膜形成剤、及び（Ｃ）液状油剤及び／又は水を含有する液状化粧料。
【請求項２】上記球状粉体が球状ナイロン樹脂粉体である請求項１記載の化粧料。
【請求項３】上記被膜形成剤を全組成中に０．１〜２０重量％含む請求項１又は２記載の化粧料。
【請求項４】上記液状油剤を粉体成分１００重量部に対して５０〜１００重量部含む請求項１ないし３のいずれか１項記載の化粧料。
【請求項５】水を全組成中に３〜３０重量％含む請求項１ないし４のいずれか１項記載の化粧料。」
は、
　　　　　　
「【請求項１】（Ａ）平均粒径３μｍ以上の球状ナイロン樹脂粉体３０〜５５重量％、（Ｂ）オルガノポリシロキサンセグメントの末端又は側鎖に、連結基を介して、オキサゾリン化合物又はオキサジン化合物が開環重合してなる、下記一般式（１）；
【化１】
　　　　　　　
（式中、Ｒ１ は水素原子、炭素数１〜２２のアルキル基、シクロアルキル基、アラルキル基又はアリール基を示し、ｎは２又は３の数を示す）で表される繰り返し単位からなるポリ（Ｎ−アシルアルキレンイミン）セグメントが結合してなるオルガノポリシロキサンからなる被膜形成剤、及び（Ｃ）液状油剤及び／又は水を含有する液状化粧料。
【請求項２】上記被膜形成剤を全組成中に０．１〜２０重量％含む請求項１記載の化粧料。
【請求項３】上記液状油剤を粉体成分１００重量部に対して５０〜１００重量部含む請求項１又は２記載の化粧料。
【請求項４】　水を全組成中に３〜３０重量％含む請求項１ないし３のいずれか１項記載の化粧料。」
と補正された。
　　　　　                                                     　　　　　
　上記補正は、本件補正前の請求項１を削除し、請求項１を引用する請求項２を独立形式で表現して請求項１とするとともに、その発明を特定するために必要な事項である（Ａ）成分の含有量を「２０〜６０重量％」から「３０〜５５重量％」に限定的に減縮することを含むものであって、請求項の削除及び特許請求の範囲の減縮を目的にする補正を含むものである。
　そこで、本件補正後の前記請求項１に記載された発明（以下、「本件補正発明」という。）が特許出願の際独立して特許を受けることができるものであるか（すなわち、特許法第１７条の２第５項において準用する同法第１２６条第５項の規定に適合するか）について以下に検討する。
　　　　　　
（２）引用例及び引用例に記載された事項
　本願の出願前に頒布された刊行物である特開平１０−９５７０５号公報（以下、「引用例Ａ」という。）、特開平１０−３３８６１６号公報（以下、「引用例Ｂ」という。）、特開平９−１７５９４０号公報（以下、「引用例Ｃ」という。）及び特開平７−２５８０２６号公報（以下、「引用例Ｄ」という。）には、それぞれ、以下の事項が記載されている。
　　　　　
引用例Ａ：特開平１０−９５７０５号公報
（摘記Ａ１）「【請求項１】　次の（Ａ）、（Ｂ）、（Ｃ）及び（Ｄ）；
（Ａ）油相
（Ｂ）油水界面に配向性を有する高分子化合物
（Ｃ）低級アルコール
（Ｄ）水
を含有する油中水型乳化組成物。
・・・
【請求項３】　成分（Ｂ）が、共有結合以外の結合による分子内及び分子間架橋を生じ、温度２０℃、相対湿度６５％における伸長率が０〜１５％の範囲で破断又は塑性変形を生じない物性を示す、常温・常圧で固体である高分子化合物である請求項１記載の油中水型乳化組成物。
【請求項４】　高分子化合物（Ｂ）が、親水性セグメントを含み、水又は低級アルコールに溶解又は分散するものである請求項１〜３のいずれか１項記載の油中水型乳化組成物。
【請求項５】　高分子化合物（Ｂ）が、親水性セグメント及びオルガノポリシロキサンのセグメントを含有する共重合体である請求項１〜４のいずれか１項記載の油中水型乳化組成物。
・・・
【請求項８】　高分子化合物（Ｂ）の親水性セグメントが、オルガノポリシロキサンセグメントの末端又は側鎖のケイ素原子の少なくとも１個に、ヘテロ原子を含むアルキレン基を介して結合するセグメントであり、下記一般式（１）；
【化１】
　　　　　
（式中、Ｒ１ は水素原子、炭素数１〜２２のアルキル基、シクロアルキル基、アラルキル基又はアリール基を示し、ｎは２又は３の数を示す）で表される繰り返し単位からなるポリ（Ｎ−アシルアルキレンイミン）である請求項１〜７のいずれか１項記載の油中水型乳化組成物。
・・・
【請求項２４】　請求項１〜２３のいずれか１項記載の油中水型乳化組成物を含有する皮膚化粧料。」（特許請求の範囲の請求項１、３〜５、８、２４）
（摘記Ａ２）「上記ポリ（Ｎ−アシルアルキレンイミン）変性シリコーンは、公知の方法（特開平２−２７６８２４号公報、特開平４−８５３３４号公報、特開平４−８５３３５号公報、特開平５−１１２４２３号公報、特開平７−１３３３５２号公報等）により得ることができ、例えば以下の方法で合成される。まず、前記式（１）で表される繰り返し単位からなるポリ（Ｎ−アシルアルキレンイミン）のセグメントは、式（１４）；・・・で表される環状イミノエーテル化合物を開環重合することにより得られる。式（１４）で表される環状イミノエーテル化合物は、以下に例示するような２−オキサゾリン類あるいは２−オキサジン類である。・・・高分子化合物（Ｂ）において、親水性セグメントがＮ−アシルアルキレンイミンから誘導されるものは、式（１４）で表される環状イミノエーテル化合物を開環重合させることにより生成する重合活性種と、これと反応し得る官能基を有するオルガノポリシロキサンとを反応させることにより得ることができる。」（段落【００２９】〜【００３６】）
（摘記Ａ３）「成分（Ａ）の油相としては、通常化粧料に用いられる油分であれば特に制限されず、例えば・・・スクワラン、流動パラフィン、エステル油・・・パーフルオロポリエーテル等の液状油；ジメチルポリシロキサン・・・メチルフェニルポリシロキサン・・・等のシリコーン油などが挙げられ、かかる油分の１種又は２種以上を用いることができる。成分（Ａ）はシリコーン油の１種又は２種以上を含むものであることが好ましく」（段落【０００８】〜【０００９】）
（摘記Ａ４）「好ましくは高分子化合物（Ｂ）は、温度２０℃、相対湿度６５％における伸長率が０〜１５％の範囲で破断又は塑性変形を生じないという性質を有する。・・・従って、本発明の油水界面に配向性を有する高分子の上記性質は、いわゆるゴム弾性であり」（段落【００１５】」
（摘記Ａ５）「本発明の油中水型乳化組成物及びこれを含有する皮膚化粧料には上記の必須成分に加えて、必要に応じて通常の化粧料に配合される成分を配合しうる。たとえば・・・無機顔料や有機顔料等の色材・・・等を本発明の油中水型乳化組成物及びこれを含有する皮膚化粧料に適宜配合することができる。
　本発明の皮膚化粧料は、通常の方法に従って製造することができ、クリーム、乳液、ファンデーション、口紅等とすることができる。」（段落【００９４】〜【００９５】）
（摘記Ａ６）「【発明の効果】本発明の油中水型乳化組成物及びこれを含有する皮膚化粧料は、優れた乳化安定性を示し、かつ清涼感、さっぱり感に優れ、べたつきがない。」（段落【００９６】）
（摘記Ａ７）「合成例７　（ポリ（Ｎ−プロピオニルエチレンイミン）変性シリコーンの合成）
　硫酸ジエチル２．３６ｇ（０．０１５３モル）と２−エチル−２−オキサゾリン３０．３ｇ（０．３０６モル）をクロロホルム４３ｍｌに溶解し、窒素雰囲気下、５時間加熱還流し、ポリ（Ｎ−プロピオニルエチレンイミン）の末端反応性ポリマー（分子量２，０００）を合成した。ここに、合成例６で合成した３級アミノ変性シリコーン１００ｇ（アミノ基として０．０１３９モル）のクロロホルム２７０ｍｌ溶液を一括して加え、１６時間加熱還流した。反応混合物を減圧濃縮し、下記式で表されるポリジメチルシロキサンにＮ−プロピオニルエチレンイミン鎖の付いたグラフト共重合体（分子量２８，９００）が得られた。この重合体は淡黄色ゴム状固体であった（収量１２９ｇ、収率９７％）。・・・
合成例８　（ポリ（Ｎ−プロピオニルエチレンイミン）変性シリコーンの合成）
　硫酸ジエチル３．５５ｇ（０．０２３０モル）と２−エチル−２−オキサゾリン２７．４ｇ（０．２７６モル）を脱水した酢酸エチル６０ｇに溶解し、窒素雰囲気下４時間加熱還流し、ポリ（Ｎ−プロピオニルエチレンイミン）の末端反応性ポリマー（分子量１，２００）を合成した。・・・反応混合物を減圧濃縮し、ポリジメチルシロキサンにＮ−プロピオニルエチレンイミン鎖の付いたグラフト共重合体（分子量１１５，０００）が得られた。この共重合体は淡黄色ゴム状固体であった（収量４２７ｇ，収率９９％）。
合成例９　（ポリ（Ｎ−プロピオニルエチレンイミン）変性シリコーンの合成）
　硫酸ジエチル３．７７ｇ（０．０２４４モル）と２−エチル−２−オキサゾリン４８．４ｇ（０．４８８モル）を脱水したクロロホルム１０７ｇに溶解し、窒素雰囲気下５時間加熱還流し、ポリ（Ｎ−プロピオニルエチレンイミン）の末端反応性ポリマー（分子量２，０００）を合成した。・・・反応混合物を減圧濃縮し、ポリジメチルシロキサンにＮ−プロピオニルエチレンイミン鎖の付いたグラフト共重合体（分子量１３７，０００）が得られた。得られた共重合体は淡黄色ゴム状固体（収量４４４ｇ，収率９８％）であった。」（段落【０１０５】〜【０１０８】）
（摘記Ａ８）「実施例１８　（サンスクリーン乳液）
【表５】
（成分）
（１）オクタメチルシクロテトラシロキサン　　　　　　　　　　３％
（２）デカメチルシクロペンタシロキサン　　　　　　　　　　１０％
（３）ジメチルポリシロキサン（粘度１ｃｓ）　　　　　　　　　３％
（４）ミリスチン酸オクチルドデシル　　　　　　　　　　　　　８％
（５）ステアリン酸　　　　　　　　　　　　　　　　　　　　　０．５％
（６）メトキシ桂皮酸オクチル　　　　　　　　　　　　　　　　２％
（７）ポリ（Ｎ−プロピオニルエチレンイミン）変性
　　　シリコーン（合成例８）　　　　　　　　　　　　　　　　５％
（８）シリコーン処理微粒子酸化チタン＊２（テイカ社製）　　　３％
（９）シリコーン処理微粒子酸化亜鉛＊３　
　　　（堺化学社製，微細亜鉛華の２％処理）　　　　　　　　　５％
（１０）ナイロンパウダー　　　　　　　　　　　　　　　　　　２％
（１１）９５％エタノール　　　　　　　　　　　　　　　　　　８％
（１２）クエン酸ナトリウム　　　　　　　　　　　　　　　　　０．５％
（１３）グリセリン　　　　　　　　　　　　　　　　　　　　　３％
（１４）硫酸マグネシウム　　　　　　　　　　　　　　　　　　１％
（１５）水　　　　　　　　　　　　　　　　　　　　　　　　　残量　　
　(＊２)メチルハイドロジェンポリシロキサンにて５％被覆したもの」（段落【０１２８】）
（摘記Ａ９）「実施例１９　（液状ファンデーション）
【表６】
（成分）
（１）オクタメチルシクロテトラシロキサン　　　　　　　　　１５％
（２）ジメチルポリシロキサン（粘度２ｃｓ）　　　　　　　　　８％
（３）メトキシ桂皮酸オクチル　　　　　　　　　　　　　　　　２％
（４）１２−ヒドロキシステアリン酸　　　　　　　　　　　　　１％
（５）ミリスチン酸オクチルドデシル　　　　　　　　　　　　　７％
（６）ジメチルシロキサン・メチルポリオキシエチレン
　　　シロキサン共重合体　　　　　　　　　　　　　　　　　　３％
（７）ポリ（Ｎ−プロピオニルエチレンイミン）変性
　　　シリコーン（合成例９）　　　　　　　　　　　　　　　　０．５％
（８）シリコーン処理微粒子酸化チタン＊１（テイカ社製）　　　７％
（９）球状シリコーン樹脂粉体
　　　（トスパール１２０　東芝シリコーン社製）　　　　　　　２％
（１０）レシチン処理雲母チタン＊４　　　　　　　　　　　　　１％
（１１）シリコーン処理酸化チタン＊１　　　　　　　　　　　　５％
（１２）シリコーン処理酸化鉄（赤，黄，黒）＊１　　　　　　　３％
（１３）９５％エタノール　　　　　　　　　　　　　　　　　１５％
（１４）１，３−ブチレングリコール　　　　　　　　　　　　　２％
（１５）硫酸マグネシウム　　　　　　　　　　　　　　　　　　１％
（１６）水　　　　　　　　　　　　　　　　　　　　　　　　　残量　
　（＊１) メチルハイドロジェンポリシロキサンにて２％被覆したもの
　（＊４) 大豆レシチンにて５％被覆したもの」（段落【０１２９】）
　　　
引用例Ｂ：特開平１０−３３８６１６号公報
（摘記Ｂ１）「【請求項１】（Ａ）平均粒径が５〜３０μｍの球状粉体、及び（Ｂ）平均粒径が０．１μｍを超え１μｍ以下の球状粉体を合計で１０〜３０重量％、並びに（Ｃ）油分を含有することを特徴とする液状化粧料。」（特許請求の範囲の請求項１）
（摘記Ｂ２）「【発明が解決しようとする課題】従って、本発明の目的は、自然な仕上がりで、肌の凹凸を効果的に見えにくくすることができる化粧料を提供することにある」（段落【０００４】）
（摘記Ｂ３）「成分（Ａ）の球状粉体は、平均粒径が５〜３０μｍ、好ましくは５〜１５μｍ、特に好ましくは５〜１２μｍのものである。平均粒径が５μｍ未満では、肌の凹凸を隠す効果が低下し、３０μｍを超えると使用感が低下する。」（段落【００１０】）
（摘記Ｂ４）「成分（Ａ）の球状粉体としては、特にシリカ、酸化チタン、ポリアミド樹脂、シリコーン樹脂又はこれらの複合粉体が、より自然な仕上がりが得られるので好ましい。」（段落【００１１】
（摘記Ｂ５）「実施例１
　表１に示す組成の化粧料を製造し、これを使用したときの仕上がりについて評価した。結果を表１に示す。・・・
（評価方法）
仕上がり：化粧料を顔に塗布したときの仕上がりを、専門パネラーが目視により、以下の基準で評価した。
　　◎；毛穴、小じわ等の凹凸がほとんど目立たない。
　　○；毛穴、小じわ等の凹凸がやや目立つ。
　　△；毛穴、小じわ等の凹凸が目立つ。
　　×；毛穴、小じわ等の凹凸が非常に目立つ。
　　　　　　　　　　　　　　　　　　　　　　　　　　　　
実施例２
　表２に示す組成の化粧料を実施例１と同様にして製造し、同様にして仕上がりについて評価した。結果を表２に示す。
　　　　　　　　　　　　　　　　　　　　　　　　　　　　　　　　　　　　　　　　                                                    」（段落【００３２】〜【００３７】）
（摘記Ｂ６）「表１及び表２の結果から明らかなように、本発明品はいずれも、毛穴や小じわなどの肌の凹凸を見えにくくする効果に優れたものであった。また、本発明品はいずれも、肌上でのつき、のびが良く、使用感に優れ、自然な仕上がりが得られた。」（段落【００３８】）
　　　
引用例Ｃ：特開平９−１７５９４０号公報
（摘記Ｃ１）「【請求項１】（１）平均粒子径１．０〜１５．０μｍのオルガノポリシロキサンエラストマー球状粉体、（２）揮発性シリコーン油、（３）シリコーン樹脂を配合したことを特徴とするメーキャップ化粧料。」（特許請求の範囲の請求項１）
（摘記Ｃ２）「【産業上の利用分野】本発明は毛穴かくし効果に優れたメーキャップ化粧料に関する。
【従来の技術および発明が解決しようとする課題】メーキャップ化粧料は素肌のシミ、ソバカスをかくし、肌をなめらかに、美しく見せるためのものであり」（段落【０００１】〜【０００２】）
（摘記Ｃ３）「本発明で使用されるオルガノポリシロキサンエラストマ−球状粉体は、本発明の化粧料の肌への塗擦感を滑らかにし、のびの軽さ、さっぱりさ、ソフト感といった使用性を向上させ、シリコーン樹脂の配合量を増すことなく、毛穴かくし効果を増大させるために必要な成分である。」（段落【０００６】）
（摘記Ｃ４）「本発明で用いられるオルガノポリシロキサンエラストマー球状粉体は、市販品から容易に入手でき、例えばトレフィルＥ−５０６Ｃ（東レ・ダウコーニング・シリコーン株式会社製；商品名）が好適である。・・・また本成分の平均粒子径０．１〜１５．０μｍの範囲のものが本発明の効果を発揮し、さらに好適には１．０〜１０．０μｍのものがより本発明に係る効果を強く発揮する。１．０μｍ以下のものは本発明に係る効果を発揮せず、また１５．０μｍを上回るものはざらつき感があり、メーキャップ化粧料原料として不適である。」（段落【００１０】）
（摘記Ｃ４）「本発明においては（１）平均粒子径１．０〜１５．０μｍのオルガノポリシロキサンエラストマー球状粉体、（２）揮発性シリコーン油、（３）シリコーン樹脂のほかにメーキャップ化粧料を構成する成分として、通常メーキャップ化粧料に基剤として配合される顔料、油分、界面活性剤、水、保湿剤、低級アルコール・・・などが配合できることは言うまでもない。
　顔料のうちオルガノポリシロキサンエラストマー球状粉体以外の粉末の例として・・・有機顔料としては・・・ナイロン・・・などが例示される。」（段落【００１６】〜【００１８】）
（摘記Ｃ５）「［実施例１６］　化粧下地
　（１）トレフィルＥ−５０６Ｃ　　　　　　　　　　　　　　　８重量％
　（２）球状ナイロン粉末　　　　　　　　　　　　　　　　　１２
　（３）微粒子酸化チタン　　　　　　　　　　　　　　　　　　４
　（４）オクタメチルシクロテトラシロキサン　　　　　　　　１０
　（５）デカメチルシクロペンタシロキサン　　　　　　　　　２５
　（６）約８０００の分子量を有し、かつ
　　　　　　　（Ｃ６Ｈ５）ＳｉＯ２／３ 単位：
　（ＣＨ３）２ＳｉＯ単位＝５．６７：１からなる平均式
　（ＣＨ３）０．３０（Ｃ６Ｈ５）０．８５ＳｉＯ１．３４で表される
　シリコーン樹脂デカメチルシクロペンタシロキサン５０％　　　２
　（７）セスキイソステアリン酸ソルビタン　　　　　　　　　　２
　（８）１，３−ブチレングリコール　　　　　　　　　　　　　７
　（９）グリセリン　　　　　　　　　　　　　　　　　　　　　３
　（１０）固形パラフィン　　　　　　　　　　　　　　　　　　４
　（１１）オクチルメトキシシンナメート　　　　　　　　　　　０．８
　（１２）メチルパラベン　　　　　　　　　　　　　　　　　　０．２
　（１３）精製水　　　　　　　　　　　　　　　　全体を１００とする量」（段落【００３３】）
（摘記Ｃ６）「実施例１３〜１９のメーキャップ化粧料は、いずれも毛穴かくし効果に優れたのであった。」（段落【００３７】）
　　　　　　
引用例Ｄ：特開平７−２５８０２６号公報
（摘記Ｄ１）「【請求項１】　粉体として、平均粒子径１．０〜１５．０μｍのオルガノポリシロキサンエラストマー球状粉体と平均粒子径１．０〜１５．０μｍの多孔質粉体を含有してなることを特徴とするメーキャップ化粧料。
【請求項２】　平均粒子径１．０〜１５．０μｍのオルガノポリシロキサン
エラストマー球状粉体の配合量が１．０〜３０．０重量％であり、平均粒子径１．０〜１５．０μｍの多孔質粉体の配合量が１．０〜３０．０重量％である請求項１記載のメーキャップ化粧料。
【請求項３】「多孔質粉体が多孔質球状シリカ、多孔質板状シリカまたは多孔質球状樹脂粉体である請求項１または２記載のメーキャップ化粧料。」（特許請求の範囲の請求項１〜３）
（摘記Ｄ２）「【産業上の利用分野】本発明はメーキャップ化粧料に関し、さらに詳しくは、さらさらした感触と、なめらかで、ソフトな感触とを併せもつメーキャップ化粧料に関する。」（段落【０００１】）
（摘記Ｄ３）「市販品としては、例えばトレフィルＥ−５０６Ｃ（東レ・ダウコーニング・シリコーン株式会社製商品名）が挙げられる。本成分の平均粒子径は１．０〜１５．０μｍ、好ましくは１．０〜１０．０μｍであることが本発明のメーキャップ化粧料に滑らかさやソフト感、および健康的で自然な色彩感を付与するために必要である。１．０μｍ未満では滑らかさやソフト感がなくなり、１５．０μｍを超えるとざらつき感がある。・・・
　本発明において用いられる多孔質粉体は平均粒子径１．０〜１５．０μｍ、好ましくは平均粒子径１．０〜１０．０μｍの粉体である。平均粒子径が１．０μｍ未満では滑らかさがなくなり、平均粒子径が１５．０μｍを超えるとざらつき感がある。」（段落【０００９】〜【００１１】）
（摘記Ｄ４）「多孔質粉体の具体例としては・・・ナイロン・・・等の球状多孔性樹脂粉体を用いてもよい。これらの多孔質粉体のうち、好適なものとしては・・・多孔質球状樹脂粉体が挙げられる。」（段落【００１２】）
（摘記Ｄ５）「本発明のメーキャップ化粧料を得るには、オルガノポリシロキサンエラストマー球状粉体および多孔質粉体を含む粉体および油分を均一に分散配合することにより得ることができる。
　ここで用いられる油分としては、例えば、流動パラフィン、スクワラン・・・ヒマシ油、エタノール・・・オリーブ油のような炭化水素、エステル、グリセライド、低級アルコール、高級アルコール、多価アルコール、高級脂肪酸あるいはオルガノポリシロキサン流体などが例示される。これらの油分の配合量は、メーキャップ化粧料全量中の１．０〜３０．０重量％である。
　本発明のメーキャップ化粧料には必要に応じて、さらに水、界面活性剤・・・などを配合してもよい。本発明のメーキャップ化粧料は、例えば、ファンデーション、ほほ紅、アイシャドウ、白粉等として用いることができる。」（段落【００１９】〜【００２１】）
　　　　　
（３）対比・判断
（３−１）引用発明について
　引用例Ａには、
（Ａ）油相、
（Ｂ）親水性セグメント及びオルガノポリシロキサンのセグメントを含有する共重合体であって、その親水性セグメントが、オルガノポリシロキサンセグメントの末端又は側鎖のケイ素原子の少なくとも１個に、ヘテロ原子を含むアルキレン基を介して結合するセグメントであり、下記一般式（１）；
【化１】
　　　　　
（式中、Ｒ１ は水素原子、炭素数１〜２２のアルキル基、シクロアルキル基、アラルキル基又はアリール基を示し、ｎは２又は３の数を示す）で表される繰り返し単位からなるポリ（Ｎ−アシルアルキレンイミン）である、油水界面に配向性を有する高分子化合物、
（Ｃ）低級アルコール、
（Ｄ）水
を含有する油中水型乳化組成物を含有する皮膚化粧料が記載されており（摘記Ａ１；特に請求項１、５、８、２４参照）、その（Ｂ）成分の高分子化合物は、２−オキサゾリン類あるいは２−オキサジン類である環状イミノエーテル化合物を開環重合させることにより生成する重合活性種と、これと反応し得る官能基を有するオルガノポリシロキサンとを反応させることにより得ることができることが記載されている（摘記Ａ２、Ａ７）。さらに、該皮膚化粧料は、上記の必須成分に加えて、必要に応じて通常の化粧料に配合される成分（顔料等）を適宜配合することができ、乳液、ファンデーション、口紅等とすることができることが記載されており（摘記Ａ５）、具体的に、実施例１８にナイロンパウダーを含有するサンスクリーン乳液（摘記Ａ８）や実施例１９に球状シリコーン樹脂粉体を含有する液状ファンデーション（摘記Ａ９）が記載されている。ここで、該例示されたサンスクリーン乳液や液状ファンデーションは、液状化粧料であるから、引用例Ａには、
「油相、オルガノポリシロキサンセグメントの末端又は側鎖に、連結基を介して、オキサゾリン化合物又はオキサジン化合物が開環重合してなる、下記一般式（１）；
【化１】
　　　　　　　
（式中、Ｒ１ は水素原子、炭素数１〜２２のアルキル基、シクロアルキル基、アラルキル基又はアリール基を示し、ｎは２又は３の数を示す）で表される繰り返し単位からなるポリ（Ｎ−アシルアルキレンイミン）セグメントが結合してなるオルガノポリシロキサンからなる油水界面に配向性を有する高分子化合物、低級アルコール及び水とナイロンパウダー又は球状シリコーン樹脂粉体を含有する液状化粧料」
に係る発明（以下、「引用発明」という。）が記載されていると認められる。
　　　　　　　　　　
（３−２）本件補正発明と引用発明との対比
　本件補正発明と引用発明を対比すると、引用発明でのナイロンパウダー、球状シリコーン樹脂粉体及び本件補正発明での球状ナイロン樹脂粉体はいずれも樹脂粉体の一種であり、また、引用発明での油相は本件補正発明での液状油剤を含み、低級アルコールは本件補正発明での液状油剤に該当する（摘記Ａ３及び本願明細書段落【００１６】参照）から、両者は、「（Ａ）樹脂粉体、（Ｂ）オルガノポリシロキサンセグメントの末端又は側鎖に、連結基を介して、オキサゾリン化合物又はオキサジン化合物が開環重合してなる、下記一般式（１）；
【化１】
　　　　　　　
（式中、Ｒ１ は水素原子、炭素数１〜２２のアルキル基、シクロアルキル基、アラルキル基又はアリール基を示し、ｎは２又は３の数を示す）で表される繰り返し単位からなるポリ（Ｎ−アシルアルキレンイミン）セグメントが結合してなるオルガノポリシロキサン（以下、「成分（Ｂ）のオルガノポリシロキサン」という。）、及び（Ｃ）液状油剤及び水を含有する液状化粧料。」
で一致し、次の（ｉ），（ｉｉ）の点で、一応相違する。
（ｉ）本件補正発明では、成分（Ｂ）のオルガノポリシロキサンを、被膜形成剤としているが、引用発明にはそれがない点（相違点１）。
（ｉｉ）本件補正発明では、成分（Ａ）の樹脂粉体として、平均粒径３μｍ以上の球状ナイロン樹脂粉体３０〜５５重量％含有するとしているが、引用発明にはそれがない点（相違点２）。
　　　　　　
（３−３）相違点についての判断
（ｉ）相違点１について
　上記のように、本件補正発明と引用発明で用いる、成分（Ｂ）のオルガノポリシロキサンは同じ化学構造で特徴づけられる重合体であり、より具体的に見ても、本件補正発明の実施例で用いられる成分（Ｂ）のオルガノポリシロキサンは、引用例Ａの合成例７に記載されているものであって、同一のものである（本願明細書段落【００３０】の表１中の成分５の記載及び摘記Ａ７参照）。しかも、本件補正発明での被膜形成剤とは、肌上に塗布、乾燥後被膜を形成できるものとされている（本願明細書段落【００１１】参照）ところ、引用例Ａには、該成分（Ｂ）のオルガノポリシロキサンは、水又は低級アルコールに溶解又は分散するものであるが、ゴム弾性を示す、常温・常圧で固体である高分子化合物である旨記載されている（摘記Ａ１、Ａ４、Ａ７）から、これがファンデーションなどにおいて塗布、乾燥後被膜を形成する成分、すなわち、被膜形成剤としても機能するものであることが教示されているといえる。
　したがって、相違点１は、実質的な相違点ではない。
　　　
（ｉｉ）相違点２について
　本件補正発明と引用発明は、液状化粧料に係る発明であるが、いずれもファンデーションなどのメーキャップ化粧料をその代表的な態様の一つとするものであり（本願明細書段落【００２２】、【００２４】、摘記Ａ５、Ａ９参照）、メーキャップ化粧料は、素肌のシミ、ソバカスをかくし、肌をなめらかに、美しく見せるためのものであって（摘記Ｃ２）、良好な使用性と共に、毛穴や小じわなどの肌の凹凸を見えにくくすることをその目的の一つとすることは、当業者の技術常識である（摘記Ｃ６、Ｂ６）。
　そして、引用例Ｂ〜Ｄに記載されているように、メーキャップ化粧料において、毛穴や小じわなどの肌の凹凸を見えにくくすることや良好な使用性のために、球状粉体を配合することは周知である（摘記Ｂ１及びＢ２、Ｃ１及びＣ２、Ｄ１及びＤ２）。しかも、引用例Ｂには、平均粒径が５〜３０μｍの球状粉体が肌の凹凸を隠す効果に有効な成分の一つであること（摘記Ｂ３）、及び、その好ましい球状粉体として、ポリアミド樹脂が挙げられ（摘記Ｂ４）、具体的な実施例はすべて平均粒径５μｍの球状ナイロンパウダーの使用である（摘記Ｂ５）ことが記載されており、刊行物Ｃには、良好な使用性と毛穴かくし効果に優れたメーキャップ化粧料の成分として、平均粒子径１．０〜１５．０μｍのオルガノポリシロキサンエラストマー球状粉体が記載されている（摘記Ｃ１〜Ｃ３）が、その実施例には、該オルガノポリシロキサンエラストマー球状粉体（トレフィルＥ−５０６Ｃ）より多量に球状ナイロン粉末が併用された化粧料が記載されており（摘記Ｃ５）、それが毛穴かくし効果に優れたものであることも記載されている（摘記Ｃ６）。また、引用例Ｄに記載された発明は、メーキャップ化粧料の使用性向上に重点を置いたものであるが、粉体として、平均粒子径１．０〜１５．０μｍのオルガノポリシロキサンエラストマー球状粉体の配合量が１．０〜３０．０重量％と平均粒子径１．０〜１５．０μｍの多孔質球状樹脂粉体の配合量が１．０〜３０．０重量％含有してなることを特徴とするメーキャップ化粧料が記載されており（摘記Ｄ１）、該多孔質球状樹脂粉体としてナイロンも例示されている（摘記Ｄ４）。このように、メーキャップ化粧料において、毛穴や小じわなどの肌の凹凸を見えにくくすることや良好な使用性の為に、適当な粒径の球状ナイロン樹脂粉体（球状ナイロンパウダー）を配合することも当業者に周知の技術的事項である。
　したがって、引用発明において、その代表的な態様であるメーキャップ化粧料とする場合、配合する樹脂粉体として、平均粒径３μｍ以上の、例えば平均粒径５μｍ程度の球状ナイロン樹脂粉体を配合することは当業者の容易に想到し得るところであり、その効果も当業者の予想するところである。また、その球状ナイロン樹脂粉体の配合量は当業者の目的に応じて適宜選定するところであるうえ、本願補正発明で規定する配合量３０〜５５重量％は、引用例Ｄに記載されているメーキャップ化粧料の球状樹脂粉体と多孔質球状樹脂粉体の配合量からみて、当業者の通常検討する範囲と認められ、かつ、明細書の記載をみても、該数値範囲に格別の臨界的効果は認められない。
　よって、引用発明において、樹脂粉体として平均粒径３μｍ以上の球状ナイロン樹脂粉体を３０〜５５重量％含有することは、当業者の容易に想到し得るところであり、相違点２は格別のものではない。
　　　
　したがって、本件補正発明は、上記引用例Ａ〜Ｄに記載された発明に基づいて、その出願前に当業者が容易に発明をすることができたものであるから、特許法第２９条第２項の規定により特許出願の際独立して特許を受けることができないものである。
　　　　
（３−４）請求人の主張について
　なお、請求人は、審判請求書の平成１６年月５日２５付けの手続補正書において、粉体として、球状ナイロン樹脂粉体（平均粒径５μｍ）のみを５０重量％含有する本件補正発明に該当する液状ファンデーション（本願明細書段落【００３０】の表１中の「本発明品１」）と比較品として球状シリコーン樹脂粉体（平均粒径４．５μｍ）のみを５０重量％含有する液状ファンデーションとの効果の比較を提示して、本件補正発明が格別の効果を奏する旨主張している。
　しかしながら、上記のように、引用発明に平均粒径３μｍ以上の球状ナイロン樹脂粉体を配合することが容易であること及びその効果も予測しうるものであることは、すでに述べたとおりである。しかも、本件補正発明は、粉体として球状ナイロン樹脂粉体の他に通常使用される粉体を配合しうるものであり（本願明細書段落【００１０】）、また、必須成分である球状ナイロン樹脂粉体についても、その平均粒径が３μｍ以上であればよく、上限は限定されないという広範な構成である。したがって、本件補正発明の一実施例である上記提示品（本発明品１）の効果が、本件補正発明に包含されるすべての発明に基づく効果ではないことは明らかであるうえ、球状樹脂粉体の平均粒径が大きくなりすぎると使用性等に悪影響が出るという引用例Ｂ〜Ｄの記載（摘記Ｂ３、Ｃ４、Ｄ３）からみて、該特定の粒径（平均粒径５μｍ）の提示品（本発明品１）と同等の効果を本件補正発明全体が奏するものとも認められない。
　したがって、上記請求人の主張は採用できない。
　　　　
（４）むすび
　以上のとおり、本件補正は、特許法第１７条の２第５項において準用する同法第１２６条第５項の規定に違反するものであるから、特許法第１５９条第１項の規定において読み替えて準用する同法第５３条第１項の規定により却下すべきものである。
　　　　　
３．本願発明について
　平成１６年４月３０日付けの手続補正は上記のとおり却下されたので、本願の請求項１ないし５に係る発明は、平成１４年３月１８日付けの手続補正書及び平成１５年１２月２６日付けの手続補正書により補正された明細書の記載からみて、その特許請求の範囲の請求項１ないし５に記載された事項により特定されるとおりのものと認められるところ、その請求項１に係る発明（以下、「本願発明」という。）は、前記「２．（１）」に記載した、「本件補正前の特許請求の範囲の請求項１」のとおりである。
　　　　　
（１）原査定の理由及び引用例
　原査定の拒絶の理由は、本願は、平成１５年１０月２７日付け拒絶理由通知書に記載した理由１によって、拒絶すべきものであるというものであり、その理由１は、本願に係る発明は、特許法２９条２項の規定により特許を受けることができないというものであって、引用文献として、本願の出願前に頒布された刊行物である特開平１０−９５７０５号公報（引用例Ａ；拒絶理由での引用文献８）、特開平１０−３３８６１６号公報（引用例Ｂ；拒絶理由での引用文献４）、特開平９−１７５９４０号公報（引用例Ｃ；拒絶理由での引用文献１）及び特開平７−２５８０２６号公報（引用例Ｄ；拒絶理由での引用文献５）が提示されている。
　　　　　
（２）引用例に記載された事項
　引用例Ａ〜Ｄに記載された事項は、前記「２．（２）」に示した通りである。
　　　　
（３）対比・判断
　本願発明は、その成分（Ａ）が、前記「２．」で検討した本件補正発明での「平均粒径３μｍ以上の球状ナイロン樹脂粉体３０〜５５重量」を包含するところの「球状シリコーン樹脂粉体を除く平均粒径３μｍ以上の球状粉体２０〜６０重量％」であるものであり、その他の構成は本件補正発明と同一である。
　したがって、本件補正発明は本願発明に包含されるものであるから、本願発明は、前記「２．（３）」に記載したのと同様の理由により、引用例Ａ〜Ｄに記載された発明に基づいて、その出願前に当業者が容易に発明をすることができたものである。
　　　　　
（４）むすび
　以上のとおり、本願発明は、上記引用例Ａ〜Ｄに記載された発明に基づいて、その出願前に当業者が容易に発明をすることができたものであるから、特許法第２９条第２項の規定により特許を受けることができない。
　したがって、その余を検討するまでもなく、本願は拒絶をすべきものである。
　よって、結論のとおり審決する。